(57)【要約】  コネクタであって、このコネクタは、上部と、底部と、第１の側部と、第２の側部とを有する絶縁ハウジングの４つの全ての側部が接続されて結合面及び基板実装端部を形成する絶縁ハウジングと、前記基板実装端部で成端する、前記ハウジング内で支持される複数の端子であり、そのそれぞれが、相補的に結合するコネクタとの電気接触を確立するように構成された接触子部分を更に含むものである複数の端子と、前記基板実装端部で前記ハウジングから延出するはんだテールと、前記接触子部分と前記はんだテールの中間に配置されてそれらを互いにつなげる本体部分と、前記ハウジングに連結される少なくとも１つのはんだブラケットであり、その大半の部分が前記ハウジングの輪郭内にあるはんだブラケットと、を具備するコネクタである。
2011503802.tif 000002
【特許請求の範囲】
【請求項１】
電気コネクタであって、
上部と、底部と、第１の側部と、第２の側部とを有する絶縁ハウジングであり、４つの全ての側部が接続されて結合面と基板実装端部とを形成する、絶縁ハウジングと、
前記ハウジング内で支持され、前記基板実装端部で成端する複数の端子であり、それぞれの端子が、相補的に結合するコネクタと電気接触を確立するよう構成された接触子部分と、前記基板実装端部で前記ハウジングから延出するはんだテールと、前記接触子部分と前記はんだテールの中間に配置されてそれらを相互につなげる本体部分とを更に具備するものである、複数の端子と、
前記ハウジングに連結された少なくとも１つのはんだブラケットであり、前記はんだブラケットの主要部分が前記ハウジングの輪郭内に位置する、はんだブラケットと、を具備する、電気コネクタ。
【請求項２】
前記ハウジングが、前記ハウジングの底部に複数の実装ポストを更に具備する、請求項１に記載の電気コネクタ。
【請求項３】
前記ハウジングが、前記ハウジングの第１の側部に深さｄ１を有する少なくとも１つの凹部と、上部に深さｄｂを有する少なくとも１つの凹部と、第２の側部に深さｄ２を有する少なくとも１つの凹部と、を更に備える、請求項１又は請求項２に記載の電気コネクタ。
【請求項４】
前記ハウジングが、前記ハウジングの第１の側部及び第２の側部の凹部に複数の溝を更に備える、請求項１〜３のいずれか一項に記載の電気コネクタ。
【請求項５】
前記はんだブラケットが、
厚さｔ１の第１の側部と、厚さｔ２の第２の側部と、前記第１の側部と前記第２の側部とを接続する厚さｔｂのブリッジ部分とを有するブラケット本体と、
前記ブラケット本体の前記第１の側部及び前記第２の側部から延出する複数のはんだ接触子部分と、を更に備える、請求項１〜４のいずれか一項に記載の電気コネクタ。
【請求項６】
前記はんだブラケットが、前記ブラケット本体の少なくとも１つの側部から延出する複数のロッキング装置を更に備える、請求項５に記載の電気コネクタ。
【請求項７】
前記ロッキング装置がフックであり、前記フックの少なくとも１つの端に複数の係合掛け部が連結されている、請求項６に記載の電気コネクタ。
【請求項８】
前記はんだブラケットが、前記ブラケット本体の少なくとも１つの側部から延出する複数の支持ツメを更に備える、請求項５〜７のいずれか一項に記載の電気コネクタ。
【請求項９】
前記はんだ接触子部分が前記ハウジングから離れて延在する、請求項５〜８のいずれか一項に記載の電気コネクタ。
【請求項１０】
前記はんだ接触子部分が前記ハウジングの底部の一部分を包み込む、請求項５〜８のいずれか一項に記載の電気コネクタ。
【請求項１１】
厚さｔ１が凹部の深さｄ１未満であるか、又は厚さｔ２が凹部の深さｄ２未満であるか、又は厚さｔｂが凹部の深さｄｂ未満である、請求項３〜１０のいずれか一項に記載の電気コネクタ。
【請求項１２】
厚さｔ１が凹部の深さｄ１と等しいか、又は厚さｔ２が凹部の深さｄ２と等しいか、又は厚さｔｂが凹部の深さｄｂと等しい、請求項３〜１０のいずれか一項に記載の電気コネクタ。
【請求項１３】
前記ハウジングが複数の係合部分を更に備え、前記はんだブラケットが、前記ハウジングの前記係合部分に掛かるように構成される複数のラッチ装置を更に含む、請求項１〜１２のいずれか一項に記載の電気コネクタ。
【請求項１４】
電気コネクタであって、
上部と、底部と、第１の側部と、第２の側部とを有する絶縁ハウジングであり、４つの全ての側部が接続されて結合面と基板実装端部が形成され、前記結合面で、少なくとも１つの結合スロットが前記ハウジング内に延出する、絶縁ハウジングと、
前記ハウジング内で支持され、前記基板実装端部で成端する複数の端子であり、これらの端子が第１のセットと第２のセットにグループ化され、前記第１のセットと前記第２のセットにあるそれぞれの端子が前記結合スロットに延出する接触子部分と、前記基板実装端部で前記ハウジングから延出するはんだテールと、前記接触子部分と前記はんだテールとの中間に配置されてそれらを相互につなげる本体部分とを更に含む、複数の端子と、
前記ハウジングに連結された少なくとも１つのはんだブラケットであり、前記はんだブラケットの主要部分が前記ハウジングの輪郭内に位置する、はんだブラケットと、を具備する、電気コネクタ。
【発明の詳細な説明】
【技術分野】
【０００１】
本発明は、コネクタ技術、特に、プリント基板に実装するように適応された電気コネクタに関する。
【背景技術】
【０００２】
プリント基板（ＰＣＢ）コネクタ（例えばソケット）は、対向する結合コネクタ（例えばプラグ）を伴う別の装置とＰＣＢとの間の接続可能なインターフェイスを提供するために、ＰＣＢの表面に直接はんだ付けすることができる（表面実装式としても知られる）。
【０００３】
表面実装式ソケットは、典型的に、対向する結合プラグとの結合のための結合面と、ＰＣＢの回路トレースで成端する複数の端子が出る基板実装端部と、を伴うハウジングを含む。表面実装式ソケットは、ＰＣＢに実装する際に表面実装式ソケットの整列を助けることを目的とする複数の実装ポストをハウジングの基部に更に含む。
【０００４】
端子は、通常、対向する結合プラグの端子と結合するための結合部分と、ハウジングから突出するテール部分（はんだテール）とを含み、これらのテールは、ＰＣＢ上の回路トレース又はＰＣＢの穴内に、はんだ付けのような方法によって相互接続される。多くの場合、ＰＣＢにはんだ付けされるはんだテールは、ＰＣＢ上に表面実装式ソケットを固定するための唯一の装着点であり、実装ポスト以外の唯一の手段である。
【０００５】
ＰＣＢへのケーブル接続は、一般に、プラグコネクタでケーブルを成端し（全体をケーブルアセンブリと呼ぶ）、次に、プラグコネクタをＰＣＢ上の表面実装式ソケットと結合することによって行われる。プラグコネクタは、典型的に、表面実装式ソケットにある結合スロット内に受け入れられる突出端を有するプリント回路カードを含む。
【０００６】
高速データ転送システムは、電気システムに要求されるデータ転送速度を維持するために電気インピーダンスの制御が可能な電気コネクタを必要とする。シールドケージは、電磁干渉の放出を制御するためにそのようなコネクタと共に典型的に使用される。これらのケージは、多くの場合、コネクタを実質的に囲うので、コネクタの二次的ハウジングとしての働きをする。米国公開特許第２００６／００４０５５６号は、そのようなシールドハウジングの１つを開示している。
【０００７】
電子機器の小型化に伴い、電子機器内の制限のある内部空間を許容するためにそれぞれの内部構成要素に割り当てられる設置面積が低減されたため、非常に微細なはんだテールを伴う小型の表面実装式ソケットが望まれている。米国公開特許第２００６／０００９０８０号及び同第２００６／００１４４３８号は、そのような表面実装式ソケットの１つを開示している。
【０００８】
この表面実装式ソケットの小さいサイズは、対向する結合プラグをこの表面実装式ソケットと結合するように導くことを困難にし、また、見えない状態で結合が行われる場合に特に、対向する結合プラグをこの表面実装式ソケットに確実に適正に結合することをますます困難にしている。
【０００９】
実装ポスト以外では、はんだテールのはんだ接触子のみが表面実装式ソケットとＰＣＢとの間の唯一の装着手段であるため、対向する結合プラグと表面実装式ソケットの整列及び結合の試みのいかなる失敗も、これらの装着点での機械的応力を引き起こし、はんだ接触子の緩みを引き起こし、最終的に信号経路を破壊し、ＰＣＢとの接続故障を引き起こすことがある。加えて、対向する結合プラグと表面実装式ソケットの係合の失敗の繰り返しにケーブルの重量及び動きが伴うと、表面実装式ソケットがＰＣＢから持ち上げられて、装着点に更に応力が加わり、装着点が破壊することがある。
【発明の概要】
【発明が解決しようとする課題】
【００１０】
本発明は、ＰＣＢへのソケットの実装に要求される設置面積を実質的に増加せずに、引き留めと保持のための改善された構造を提供することによって、表面実装式ソケットが持ち上げられることによって生じる信号経路の破壊を防ぐことを目的とする。
【課題を解決するための手段】
【００１１】
コネクタの実装に要求される設置面積を増加せずにプリント基板へのコネクタを保持できる改善された構造をコネクタにもたらすことが望まれる。
【００１２】
本発明の一実施形態によるコネクタが提供され、このコネクタは、
上部と、底部と、第１の側部と、第２の側部とを有する絶縁ハウジングであり、４つの全ての側部が接続されて結合面と基板実装端部とを形成する、絶縁ハウジングと、
このハウジング内で支持され、この基板実装端部で成端する複数の端子であり、それぞれの端子が、相補的に結合するコネクタと電気接触を確立するよう構成された接触子部分と、基板実装端部でハウジングから延出するはんだテールと、接触子部分とはんだテールの中間に配置されてそれらを相互につなげる本体部分とを更に具備するものである、端子と、
このハウジングに連結された少なくとも１つのはんだブラケットであり、このはんだブラケットの主要部分がこのハウジングの輪郭内にある、はんだブラケットと、を具備する。
【００１３】
本発明の別の実施形態による、プリント基板上に実装するよう構成された電気コネクタが提供され、この電気コネクタは、
上部と、底部と、第１の側部と、第２の側部とを有する絶縁ハウジングであり、４つの全ての側部が接続されて結合面及び基板実装端部が形成され、この結合面で、少なくとも１つの結合スロットがハウジング内に延出する、絶縁ハウジングと、
このハウジング内で支持され、基板実装端部で成端する複数の端子であり、これらの端子が第１のセットと第２のセットに分けられ、この第１のセットと第２のセットにあるそれぞれの端子が、結合スロットに延出する接触子部分と、基板実装端部でハウジングから延出するはんだテールと、この接触子部分とこのはんだテールとの中間に配置されてそれらを相互につなげる本体部分とを更に含む、端子と、
このハウジングに連結された少なくとも１つのはんだブラケットであり、このはんだブラケットの主要部分がこのハウジングの輪郭内にある、はんだブラケットと、を具備する。
【図面の簡単な説明】
【００１４】
本発明の例示の形態は、これより添付の図面を参照して記載される。
【図１】プリント基板に実装された先行技術の表面実装式ソケットと結合するように整列された市販の入手可能な対向する結合プラグの斜視図を示すものであり、明確に図示するために、対向する結合プラグの配線は図中で削除されている。
【図２Ａ】基板に配置された導電性接触パッドの２つの構成を伴う先行技術の回路基板を示し、これら２つの接触パッド構成の１つに表面実装式ソケットが実装されており、この表面実装式ソケットを囲うためのシールドハウジングカムガイドが整列されている。
【図２Ｂ】回路基板に実装された２つのシールドハウジングカムガイドに囲まれた２つの表面実装式ソケットを伴う図２Ａの回路基板を示し、２つの対向する結合プラグコネクタが、それぞれ対応する表面実装式ソケットと結合するように整列されている。
【図３Ａ】本発明の実施例のコネクタの分解斜視図。
【図３Ｂ】組み立てられた図３Ａの実施例のコネクタの斜視図。
【図４】ハウジングの結合面を正面から見たときの図３Ｂの実施例のコネクタのハウジングの正面図。
【図５Ａ】図３Ｂの実施例のコネクタから外されたはんだブラケットの斜視図。
【図５Ｂ】図５Ａのはんだブラケットの正面図。
【図５Ｃ】図５Ａのはんだブラケットを製作するための実施例の中間物を示す概略透視図。
【図５Ｄ】図３Ｂの実施例のコネクタのハウジングに取付けられる前に曲げられた後の図５Ａのはんだブラケットの斜視図。
【図６】図３Ｂの実施例のコネクタのハウジングの斜視図。
【図７Ａ】ハウジングの凹部に取付けられようとしているはんだブラケットと共に図３Ｂの実施例のコネクタのハウジングを示す底面図。
【図７Ｂ】ハウジングの凹部に取付けられたはんだブラケットと共に図３Ｂの実施例のコネクタのハウジングを示す底面図。
【図８Ａ】別の実施例のコネクタの斜視図。
【図８Ｂ】図８Ａの実施例のコネクタの底面図。
【図９Ａ】別の実施例のコネクタの分解斜視図。
【図９Ｂ】図９Ａの実施例のコネクタの底面図であり、はんだブラケットがハウジングに連結されている。
【図９Ｃ】図９Ａの実施例のコネクタの底面図であり、はんだブラケットがハウジングに連結され、複数の既定の曲げ線に沿って折り曲げられている。
【００１５】
上記の図面は本発明のいくつかの実施形態を説明するが、発明を実施するための形態において記載したように、他の実施形態もまた想到される。いかなる場合も、本開示は本発明を限定するものではなく、その観点を提示するものである。本発明の原理の範囲及び趣旨に含まれる多数の他の修正形態及び実施形態が、当業者によって考案され得ることを理解されたい。図面は縮尺通りに描かれていない場合がある。図面全体を通して、類似の部分を表すために類似の参照番号が使用されている。
【発明を実施するための形態】
【００１６】
図１は、プリント基板４にはんだ付けによって実装されるソケットコネクタ２と整列された、結合の準備ができた状態の先行技術のプラグコネクタ１０を示す。ソケットコネクタ２は、上部２０２と、底部２０３と、結合面２０７と、基板実装端部２０８とを有するハウジング２０１と、このソケットコネクタ２のハウジング２０１内で支持された第１のセットと第２のセットとにグループ化された複数の端子２２０（図３Ａに図示）と、を具備する。
【００１７】
プラグコネクタ１０は、絶縁プラグハウジング１１を有し、このハウジングに複数の電線又はケーブル（図示せず）が送り込まれ、これらの電線又はケーブルは、回路カード１２の２つの主面に配置された複数の導電トレース１３又は接触パッドで成端する。回路カード１２は、２つのコネクタが結合するときにソケットコネクタ２のハウジング２０１の結合面２０７に提供された結合スロット２１０（図２Ａに図示）に受け入れられる前端部１２Ａを有する。プラグハウジング１１は上位フランジ１４と下位フランジ１５とを含み、両方のフランジ１４、１５は互いに離間して、回路カード１２の突出部分を包囲する介在空間を画定する。結合中、プラグコネクタ１０の下位フランジ１５は、ソケットコネクタ２の結合スロット２１０の下の空洞すなわち凹部内とその２つの側壁との間に受け入れられる。絶縁材で形成される上位及び下位フランジ１４、１５は両方とも、端子の第１のセット２２１及び第２のセット２２２にかけて画定された距離にわたって延在して、２つのコネクタの結合中に生じる静電気放電を防ぐ。
【００１８】
図２Ａは、鍛造及び成形プロセスのような好適なプロセスによってシートメタル半加工品から形成される先行技術のシールドハウジング８を図示する。このシールドハウジングは、上壁８Ａと、２つの側壁８Ｃ、８Ｄと、後壁８Ｅと、底壁８Ｂとを備え、それら全てが組み合わされた集合が、中空の内部空洞につながる底部開口部（図示せず）を画定し、一方、上壁８Ａと、２つの側壁８Ｃ、８Ｄと、底壁８Ｂとが協調して、中空の内部空洞につながる入口９を画定する。このシールドハウジング８は、ＰＣＢ  ４への装着のための実装表面を提供するために、ある角度に曲げられた、側壁８Ｃ、８Ｄに沿って形成された一連のフランジ６を更に含む。ＰＣＢ  ４に実装されたとき、シールドハウジング８はソケットコネクタ２を囲い、ソケットコネクタ２及びプラグコネクタ１０を電磁干渉から遮へいするシールドを提供する。図２Ｂは、それぞれ対応するシールドハウジング８によってシールドされた複数のソケットコネクタ２と結合するために整列され準備された複数のプラグコネクタ１０を図示する。
【００１９】
シールドハウジング８はソケットコネクタ２の設置面積を超えて延在するので、ＰＣＢ  ４上の貴重な場所すなわち特に小さい電子機器での限られたリソースを占有する。加えて、ソケットコネクタ２を囲むシールドハウジング８がその結合面２０７を超えていることにより、プラグコネクタ１０をソケットコネクタ２に正確に結合することが困難であるゆえに、結合の失敗の可能性を増し、かつ、２つのコネクタを正しく連結するために要する回数を増すことになる。
【００２０】
図１を参照すると、ソケットコネクタ２は複数のはんだテール２２６を介してＰＣＢ  ４に装着されている。小さいソケットコネクタのはんだテール２２６は非常に微細であるため、ソケットコネクタ２のはんだテール２２６をＰＣＢ  ４にはんだ付けするための装着点は限られている。結合の失敗が生じる度に、装着点で機械的応力が生成され得る。装着点で繰り返される機械的応力は、はんだ接触子及びソケットコネクタ２の緩みを引き起こしてＰＣＢ  ４から持ち上げ、結果的に信号経路の破壊をもたらすことにより、ＰＣＢ  ４との接続を不良にする場合がある。
【００２１】
本発明は、ＰＣＢへのソケットコネクタの実装に要求される設置面積を実質的に増加せずに、ソケットコネクタの引き留めと保持のための改善された構造を提供することによって、表面実装式ソケットコネクタが持ち上げられることによって生じる信号経路の破壊を防ぐことを目的とする。
【００２２】
図３Ａ及び３Ｂを参照すると、本発明による例示のコネクタ２００は、上部２０２と、底部２０３と、第１の側部２０４と、第２の側部２０５と、全ての４つの側部が接続されて形成される結合面２０７と、基板実装端部２０８とを有する絶縁ハウジング２０１と、このハウジング２０１内で支持された、基板実装端部２０８で成端する端子の第１のセット２２１及び第２のセット２２２と、このハウジング２０１に連結される少なくとも１つのはんだブラケット３００と、を具備する。ハウジング２０１は、ＰＣＢ  ４上にコネクタ２００を位置付けるために使用できる、底部２０３の複数の実装ポスト２０６を更に具備する場合がある。
【００２３】
図４を参照すると、本発明の一実施形態では、ハウジング２０１の結合面２０７には、プラグコネクタ１０がコネクタ２００と結合するときにケーブルアセンブリ１１のプラグコネクタ１０を受け入れる結合スロット２１０があり、上壁２１２、低壁２１３、２つの側壁２１４、２１５、後壁（図示せず）によって画定されるこの結合スロット２１０は、ハウジング２０１の内部に延在する。
【００２４】
この記述における２つのコネクタ（すなわち、ＰＣＢ上のソケットコネクタとケーブルアセンブリの一端のプラグコネクタ）の構成が、例示と説明の目的で提示されていることに注意されたい。上記の教示を鑑み、その多くの修正形態又は変形形態（例えば、ＰＣＢ上のプラグコネクタ及びケーブルアセンブリの一端にあるソケットコネクタ）が可能であるゆえ、本発明をこれらの開示された正確な形状に包括させる又は限定する意図はない。かかる修正形態及び変形形態のすべてが、本発明の範囲内である。
【００２５】
端子の第１のセット２２１及び端子の第２のセット２２２は結合スロット２１０に延出して、ケーブルアセンブリ１１からＰＣＢ  ４への電気伝達経路を提供する。これら２つのセットのそれぞれの端子が、結合スロット２１０に延出する接触子部分２２５と、コネクタ２００が実装されるＰＣＢ  ４に装着するための、ハウジング２０１から延出するはんだテール２２６とを更に有するという点で、端子の第１のセット２２１は端子の第２のセット２２２と類似している。それぞれの端子は、また、接触子部分２２５とはんだテール２２６の中間に配置されてそれらを相互につなげる本体部分２２７を含む。それぞれの端子は、主にハウジング２０１内の定位置に端子を保持する働きをする保持部分２２９を更に備える。
【００２６】
端子の第１のセット２２１は、ハウジング２０１の上壁２１２に形成された複数のスロットに挿入され、これらのスロットは、結合スロット２１０と連通する開口部を含み、端子の第１のセット２２１の接触子部分２２５が結合スロット２１０に少なくとも部分的に延出することができるように位置付けられる。端子の第２のセット２２２は、ハウジング２０１の低壁２１３に形成された複数のスロットに挿入され、これらのスロットは、結合スロット２１０と連通する開口部を含み、端子の第２のセット２２２の接触子部分２２５が結合スロット２１０に少なくとも部分的に延出することができるように位置付けられる。
【００２７】
本発明の一実施形態では、少なくとも１つのはんだブラケット３００がコネクタ２００のハウジング２０１に連結されている。図５Ａ、５Ｂ、５Ｃ及び５Ｄを参照すると、はんだブラケット３００は、厚さｔ１を有する第１の側部３０４と、厚さｔ２を有する第２の側部３０５と、厚さｔｂを有する、第１の側部３０４を第２の側部３０５とつなげているブリッジ部分３０２とを有するブラケット本体３２０と、ブラケット本体３２０の第１の側部３０４及び第２の側部３０５から延出する複数のはんだ接触子部分３１０と、を更に含むことができる。
【００２８】
好ましくは、第１の側部３０４及び第２の側部３０５は、基板実装端部２０８と切れ目なく連続する第１の側部３０４及び／又は第２の側部３０５から延出する複数のロッキング装置３３０及び／又は複数の支持ツメ３４０を更に備える。ロッキング装置３３０は、フック（ただし限定せず）３３３を含むことができ、フック３３３の少なくとも一端に連結された複数の係合用掛け部３３５があることが好ましい。この係合用掛け部３３５は、フック３３３がハウジング２０１上に掛かるにつれてはんだブラケット３００をハウジング２０１に引き留めることによって、ハウジング２０１からはんだブラケット３００が解除されないよう防ぐ。
【００２９】
はんだブラケット３００は、図５Ｃに示すような、プレス手段によって金属シート片をブランキングする工程と、必要な部分でそれを曲げて形作る工程とによって作製される中間物３００Ａで作製できる。図５Ｃで、部分３０４Ｐ、３０２Ｐ及び３０５Ｐは、第１の側部３０４、ブリッジ部分３０２及び第２の側部３０５にそれぞれ対応する部分を画定する。複数のはんだ接触子部分３１０、ロッキング装置３３０及び／又は支持ツメ３４０は、中間物３００Ａに画定される。鍛造型のような既知の方法を用いて中間物３００Ａを曲げ線Ｂ１に沿って曲げて、はんだブラケット３００がハウジング２０１に連結される前の、図５Ｄに示すようなはんだブラケット３００の初期の形を得る。図５Ａ及び５Ｂは、はんだブラケット３００がハウジング２０１に連結されて曲げジグのような既知の方法を用いて曲げ線Ｂ２に沿って曲げられた後のはんだブラケット３００の最終的な形を図示する。上記のプロセスの説明が、はんだブラケット３００を製造しハウジング２０１と連結するやり方の１つに過ぎず、手作業、半自動的及び自動的プロセスを含む他の方法を用いて、はんだブラケット３００を組み立て、曲げ、ハウジング２０１に連結することができることに注意されたい。
【００３０】
図６を参照すると、本発明の一実施形態では、ハウジング２０１の上部２０２に少なくとも１つの凹部２０２Ａ、第１の側部２０４に少なくとも１つの凹部２０４Ａ、及び第２の側部２０５に少なくとも１つの凹部２０５Ａがある。好ましくは、凹部２０２Ａははんだブラケット３００のブリッジ部分３０２の厚さｔｂ以上の深さｄｂを有し、凹部２０４Ａははんだブラケット３００の第１の側部３０４の厚さｔ１以上の深さｄ１を有し、凹部２０５Ａははんだブラケット３００の第２の側部３０５の厚さｔ２以上の深さｄ２を有する。
【００３１】
厚さｔ１、ｔ２及びｔｂを有するはんだブラケット３００が、それぞれ深さｄ１、ｄ２及びｄｂの凹部を有するコネクタハウジング２０１と連結されたとき、ｔ１がｄ１と等しく、ｔ２がｄ２と等しく、ｔｂがｄｂと等しいならば、はんだブラケットの第１の側部３０４、第２の側部３０５及びブリッジ部分３０２の外面は、コネクタハウジング２０１の第１の側部２０４、第２の側部２０５及び上部２０２の外面と同じ平面にあることになる。はんだブラケット３００の第１の側部３０４、第２の側部３０５及びブリッジ部分３０２の外面がコネクタハウジング２０１の第１の側部２０４、第２の側部２０５及び上部２０２の外面と同じ平面にある場合、コネクタ２００の外輪郭は、はんだブラケット３００がハウジング２０１に連結された後も変わらず維持されるので、実施例のコネクタ２００は既存のプラグコネクタ１０と結合することができる。
【００３２】
厚さｔ１、ｔ２及びｔｂを有するはんだブラケット３００が、それぞれ深さｄ１、ｄ２及びｄｂの凹部を有するコネクタハウジング２０１と連結されたとき、ｔ１＜ｄ１、ｔ２＜ｄ２、及びｔｂ＜ｄｂであるならば、はんだブラケット３００の第１の側部３０４、第２の側部３０５及びブリッジ部分３０２の外面は、コネクタハウジング２０１の第１の側部２０４、第２の側部２０５及び上部２０２の外面より低い平面にあることになる。はんだブラケット３００の第１の側部３０４、第２の側部３０５及びブリッジ部分３０２の外面がコネクタハウジング２０１の第１の側部２０４、第２の側部２０５及び上部２０２の外面より低い平面にあるならば、はんだブラケット３００が凹部のその位置に固定されてハウジング２０１に対するはんだブラケット３００の横の動きを制限することに加え、既存のプラグコネクタ１０は、また、いかなる修正も伴わずにコネクタ２００と結合することができる。
【００３３】
本発明の一実施形態では、ハウジング２０１は、基板実装端部２０８と切れ目なく連続するハウジング２０１の第１の側部２０４及び第２の側部２０５の凹部２０４Ａ及び２０５Ａに複数の溝２０９を更に含む。溝２０９は、ハウジング２０１の上部２０２から底部２０３にかけて延在するか、あるいは上部２０２又は底部２０３のいずれかから延出してハウジング２０１の途中で終端することができる。図３Ｂが示すように、本発明の一実施形態では、ロッキング装置３３０は、溝２０９内で終端する前に、第１の側部２０４及び第２の側部２０５の凹部２０４Ａ及び２０５Ａの上端を覆って垂れ込むことができる。
【００３４】
図７Ａは、実施例のコネクタ２００の底面図であり、図５Ｄのはんだブラケット３００がハウジング２０１に連結されている。図７Ｂは、実施例のコネクタ２００の底面図であり、はんだブラケット３００がハウジング２０１に連結された後に、はんだブラケット３００のはんだ接触子部分３１０及び支持ツメ３４０が曲げ線Ｂ２に沿って曲げられられている。図５Ａは図７Ｂのはんだブラケット３００がハウジング２０１から外されたときのはんだブラケット３００の斜視図であり、図５Ｂはその正面図である。
【００３５】
この実施形態では、はんだブラケット３００は、フック３３３、係合掛け部３３５（フック３３３及び係合掛け部３３５のどちらも図７Ａ及び７Ｂには図示されていないが、図５Ａ及び５Ｂには図示されている）、支持ツメ３４０の曲げ、及びハウジング２０１の第１の側部２０４及び第２の側部２０５の凹部２０４Ａ及び２０５Ａの底部の端の周囲のはんだ接触子部分３１０によって、コネクタハウジング２０１に対して定位置に更に保持されている。
【００３６】
図８Ａ及び８Ｂは、本発明の別の実施形態を図示し、ここで、複数のはんだ接触子部分３１０はハウジング２０１から離れるように曲げられ、複数のロッキング装置３３０はハウジング２０１の第１の側部２０４及び第２の側部２０５の凹部２０４Ａ及び２０５Ａの底部の端の周囲に掛かるように曲げられている。この実施形態は、ＰＣＢ  ４にコネクタ２００をはんだ付けするための追加的な場所を提供する。
【００３７】
図９Ａ、９Ｂ及び９Ｃは、本発明の別の実施形態を図示し、ここで、コネクタ２００ははんだブラケット３００のラッチ装置３５０及びハウジング２０１の複数の係合部分２５０を更に含む。はんだブラケット３００がハウジング２０１と連結されたとき、ラッチ装置３５０は係合部分２５０に掛かるので、コネクタ２００のハウジング２０１へのはんだブラケット３００の固定を更に維持する。
【００３８】
本発明の好ましい実施形態の前述の説明は、例示及び説明の目的で提示してきたものである。以上の教示を考慮すれば、多くの修正形態及び変形形態が可能であるため、それは、包括的であることも、開示されたまさにその形態に本発明を限定することも意図していない。かかる修正形態及び変形形態のすべてが、本発明の範囲内である。本明細書に記載の実施形態は、本発明の原理及びその実際的な用途の最良の説明を提供し、それによって当業者が本発明を様々な実施形態で、また企図される特定の用途に適するように様々な修正を行って利用できるように、選択され説明された。合法的に、公正に権利を与えられる範囲に従って解釈されるとき、本発明の範囲は、本明細書に添付される請求項により定義されると意図される。
【図１】
2011503802.tif 000003
【図２Ａ】
2011503802.tif 000004
【図２Ｂ】
2011503802.tif 000005
【図３Ａ】
2011503802.tif 000006
【図３Ｂ】
2011503802.tif 000007
【図４】
2011503802.tif 000008
【図５Ａ】
2011503802.tif 000009
【図５Ｂ】
2011503802.tif 000010
【図５Ｃ】
2011503802.tif 000011
【図５Ｄ】
2011503802.tif 000012
【図６】
2011503802.tif 000013
【図７Ａ】
2011503802.tif 000014
【図７Ｂ】
2011503802.tif 000015
【図８Ａ】
2011503802.tif 000016
【図８Ｂ】
2011503802.tif 000017
【図９Ａ】
2011503802.tif 000018
【図９Ｂ】
2011503802.tif 000019
【図９Ｃ】
2011503802.tif 000020
【国際調査報告】
2011503802.tif 000021
2011503802.tif 000022
2011503802.tif 000023